(57)【要約】【課題】照明装置を有する冷蔵庫に関し、庫内の視認性を高め、意匠性も優れた冷蔵庫を提供することを目的とする。【解決手段】冷蔵室３３内の背面略中央部にランプ４１およびランプカバー４２を配し、ランプカバー４２は樹脂にて成形され、部分的に着色部４３を有し、前記ランプカバー４２は光を透過する材料で成形されているので、庫内の視認性が高まる。また、ランプカバー４２の一部分に着色部４３を有しているので、光源が白色灯でも光の色を着色化でき、外観的に優れた照明装置となる。【選択図】　図２
2004085072.tif 000002
【特許請求の範囲】
【請求項１】
少なくとも冷蔵室、冷凍室を有し、庫内に照明装置と前記照明装置を覆う照明カバーを有する冷蔵庫において、前記照明カバーは樹脂にて成形され、部分的に着色部を有し、前記照明カバーは光を透過することを特徴とする冷蔵庫。
【請求項２】
照明装置と前記照明装置を覆う照明カバーを少なくとも冷蔵室に配置したことを特徴とする請求項１に記載の冷蔵庫。
【請求項３】
照明カバーの着色部を別部品で構成したことを特徴とする請求項１または２に記載の冷蔵庫。
【請求項４】
着色部に印刷を施したことを特徴とする請求項１から請求項３のいずれか一項に記載の冷蔵庫。
【請求項５】
照明装置の光源の前面投影部に照明カバーの着色部を配置したことを特徴とする請求項１から請求項４のいずれか一項に記載の冷蔵庫。
【請求項６】
照明装置の光源を、照明カバー内に複数設けたことを特徴とする請求項１から請求項５のいずれか一項に記載の冷蔵庫。
【発明の詳細な説明】
【０００１】
【発明の属する技術分野】
本発明は照明装置を有する冷蔵庫に関するものである。
【０００２】
【従来の技術】
近年の冷蔵庫においては、使い勝手向上の為、冷凍室内に照明装置が設けられている。従来のこの種の冷蔵庫としては、特開平４−８４０９３号公報に示されているものがある。
【０００３】
以下、図面を参照しながら上記従来の冷蔵庫を説明する。
【０００４】
図５は従来の冷蔵庫の要部断面図である。図において、１は冷蔵庫本体で、外箱、内箱に発泡断熱材を充填して構成している。２は冷凍室である。冷凍室２は前面に冷凍室扉３を備え、庫内背部に冷却器４、冷気循環送風機５を構成している。６は、照明手段に係るランプで、このランプ６は冷凍室扉３に近い部分に設けられており、ランプケ−ス７及び、ランプカバ−８で覆われている。ランプカバ−８は乳白色の樹脂製のもので、凸面状円盤部を出っ張らせる形状をなしている。
【０００５】
【発明が解決しようとする課題】
しかしながら、上記従来の構成では、ランプカバ−８が乳白色１色で構成している為、庫内が暗く、意匠性も劣るという欠点があった。
【０００６】
本発明は従来の課題を解決するもので、庫内の視認性を高め、意匠性も優れた冷蔵庫を提供することを目的とする。
【０００７】
【課題を解決するための手段】
本発明の請求項１に記載の発明は、少なくとも冷蔵室、冷凍室を有し、庫内に照明装置と前記照明装置を覆う照明カバーを有する冷蔵庫において、前記照明カバーは樹脂にて成形され、部分的に着色部を有し、前記照明カバーは光を透過するものであり、照明装置により発した光は照明カバーを通して庫内を照らし、庫内の視認性を高める。また、部分的に着色部を有しているので、光源が白色系でも光の色を自由に変えることができ、外観的に優れた照明装置となる。
【０００８】
請求項２に記載の発明は、請求項１に記載の発明において、照明装置と前記照明装置を覆う照明カバーを少なくとも冷蔵室に配置したものであり、使用頻度の最も多い冷蔵室内の視認性を高めることができる。
【０００９】
請求項３に記載の発明は、請求項１または２に記載の発明において、照明カバーの着色部を別部品で構成したものであり、１つの金型に複数の材料を注入し成形するものに比べ、コストを低く抑えることができる。また、別部品とすることでサービス性が向上する。
【００１０】
請求項４に記載の発明は、請求項１から請求項３のいずれか一項に記載の発明において、着色部に印刷を施したものであり、背面からの光により印刷部が浮かび上がり外観的に優れた照明装置となる。
【００１１】
請求項５に記載の発明は、請求項１から請求項４のいずれか一項に記載の発明において、照明装置の光源の前面投影部に照明カバーの着色部を配置したものであり、光源の光を確実に着色可能となり外観的に優れた照明装置となる。
【００１２】
請求項６に記載の発明は、請求項１から請求項４のいずれか一項に記載の発明において、照明装置の光源を、照明カバー内に複数設けたものであり、照度を高めることで、さらに庫内の視認性を高めることができる。
【００１３】
【発明の実施の形態】
以下、本発明による冷蔵庫の実施の形態について、図面を参照しながら説明する。
【００１４】
（実施の形態１）
図１は、本発明の実施の形態１による冷蔵庫の正面図、図２は同実施の形態の冷蔵庫の冷蔵室の正面図、図３は、同実施の形態の冷蔵庫の冷蔵室の側面断面図、図４は、同実施の形態の冷蔵庫のランプカバ−の分解斜視図である。
【００１５】
図において、３０は冷蔵庫本体であって、樹脂製の内箱３１と鋼板製の外箱３２によって箱体を形成している。３３は冷蔵室で、冷蔵庫３０の最上部に位置し、下方に順に野菜室３４、製氷室３５、切替室３６、冷凍室３７を有している。３８は冷蔵室扉で、一方を支持されて回転する回転式扉である。冷蔵室３３内には複数の棚３９が所定の間隔を有し配置されている。冷蔵室３３の背面には冷蔵室背面構成部材４０をビス等により固定し、冷蔵室３３を冷却するダクト（図示せず）を背面に構成している。
【００１６】
冷蔵室３３の背面略中央部で、内箱３１側には照明装置としてのランプ４１を複数設けている。ランプ４１は比較的安価な白色灯を用いている。そして、冷蔵室背面構成部材４０の略中央部にはランプ４１の前面を覆うようにランプカバー４２を有する。ランプカバー４２は樹脂にて成形され、部分的に着色部４３を有し、前記ランプカバー４２は光を透過する材料で成形されている。また、着色部４３は別部品で構成し、爪４４でランプカバー４２の孔部４５に嵌合される。そして、ランプ４１の前面投影部に対応した位置に着色部４３は配置される。また、着色部４３の一部には文字等の印刷４６を施してある。また、複数の着色部４３は棚３９の間に位置するように配置されている。
【００１７】
上記構成において、使用者が冷蔵室３３内の食品の出し入れのために冷蔵室扉３８を開くことで、ドアスイッチ（図示せず）が動作し、ランプ４１に通電される。そして、ランプカバー４２は樹脂にて成形され、部分的に着色部４３を有し、前記ランプカバー４２は光を透過する材料で成形されているので、ランプ４１により発した光はランプカバー４２を通して庫内を照らし、従来の乳白色のランプカバーに比べ庫内の視認性が高まる。また、ランプカバー４２の一部分に着色部４３を有しているので、光源が白色灯でも光の色を着色化でき、外観的に優れた照明装置となる。
【００１８】
また、少なくともランプ４１およびランプカバー４２を冷蔵室３３に配置しているので、使用頻度の最も多い冷蔵室３３内の視認性を高めることができる。
【００１９】
また、着色部４３は別部品で構成し、爪４４でランプカバー４２の孔部４５に嵌合しているので、１つの金型に複数の材料を注入し成形するものに比べ、成形サイクルを短くでき、コストを低く抑えることができる。着色部４３を別部品で構成することで、サービス性の向上を図ることができる。
【００２０】
また、着色部４３の一部には文字等の印刷４６を施してあるので、背面からのランプ４１の光により印刷部が浮かび上がり外観的に優れた照明装置を得ることができる。
【００２１】
また、ランプ４１の前面投影部に対応した位置に着色部４３は配置されているので、光源の光を確実に着色可能となり外観的に優れた照明装置となる。
【００２２】
また、ランプ４１をランプカバー４２内に複数個設けているので、照度が高まり、冷蔵室３３内の視認性をさらに高めることができる。
【００２３】
また、複数の着色部４３は棚３９の間に位置するように配置しているので、棚３９により光が遮断されることがなく視認性が高まるとともに、外観的に優れたものとなる。
【００２４】
なお、本実施の形態ではランプカバー４２に設ける着色部４３を別部品として組み込んだもので説明したが、溶着等により一体化してもよい。また、ランプ４１およびランプカバー４２を冷蔵室３３の背面略中央部に配置したもので説明したが、冷蔵室３３の天面に配置してもよい。
【００２５】
【発明の効果】
以上説明したように、本発明の請求項１に記載の発明は、少なくとも冷蔵室、冷凍室を有し、庫内に照明装置と前記照明装置を覆う照明カバーを有する冷蔵庫において、前記照明カバーは樹脂にて成形され、部分的に着色部を有し、前記照明カバーは光を透過するものであり、庫内の視認性を高める。また、外観的に優れた照明装置となる。
【００２６】
また、請求項２に記載の発明は、請求項１に記載の発明において、照明装置と前記照明装置を覆う照明カバーを少なくとも冷蔵室に配置したものであり、使用頻度の最も多い冷蔵室内の視認性を高めることができる。
【００２７】
また、請求項３に記載の発明は、請求項１または２に記載の発明において、照明カバーの着色部を別部品で構成したものであり、コストを低く抑えることができる。また、別部品とすることでサービス性が向上する。
【００２８】
また、請求項４に記載の発明は、請求項１から請求項３のいずれか一項に記載の発明において、着色部に印刷を施したものであり、背面からの光により印刷部が浮かび上がり外観的に優れた照明装置となる。
【００２９】
また、請求項５に記載の発明は、請求項１から請求項４のいずれか一項に記載の発明において、照明装置の光源の前面投影部に照明カバーの着色部を配置したものであり、光源の光を確実に着色可能となり外観的に優れた照明装置となる。
【００３０】
また、請求項６に記載の発明は、請求項１から請求項４のいずれか一項に記載の発明において、照明装置の光源を、照明カバー内に複数設けたものであり、照度を高めることで、さらに庫内の視認性を高めることができる。
【図面の簡単な説明】
【図１】本発明の実施の形態１による冷蔵庫の正面図
【図２】同実施の形態の冷蔵庫の冷蔵室の正面図
【図３】同実施の形態の冷蔵庫の冷蔵室の側面断面図
【図４】同実施の形態の冷蔵庫のランプカバ−の分解斜視図
【図５】従来の冷蔵庫の要部断面図
【符号の説明】
３０　冷蔵庫
３３　冷蔵室
３７　冷凍室
４１　ランプ
４２　ランプカバー
４３　着色部
４６　印刷
【図１】
2004085072.tif 000003
【図２】
2004085072.tif 000004
【図３】
2004085072.tif 000005
【図４】
2004085072.tif 000006
【図５】
2004085072.tif 000007